(57)【要約】【課題】  必要に応じて紙ナプキンを１枚ずつ確実に取出すことが可能である紙ナプキンホルダーを提供する。【課題手段】  折り畳まれた紙ナプキンを所要枚数収納し得る紙ナプキンホルダー本体１と、該紙ナプキンホルダー本体の前壁面内側に配設され、前記折り畳まれた紙ナプキンが上方に取り出される際に直接接触している紙ナプキン１葉の上方取り出し運動を許容するための上下二段の送り歯車機構３と、該上下二段の送り歯車機構側に向けて前記紙ナプキンの集合体を前記上下二段の送り歯車機構側に適宜圧力で押圧するために前記紙ナプキンホルダーの後壁内面に配設された押圧部材５と、を備えた紙ナプキンホルダーである。【選択図】  図１
2008290775.tif 000002
【特許請求の範囲】
【請求項１】
折り畳まれた紙ナプキンを所要枚数収納し得る紙ナプキンホルダー本体と、該紙ナプキンホルダー本体の前壁面内側に配設され、前記折り畳まれた紙ナプキンが上方に取り出される際に直接接触している紙ナプキン１葉の上方取り出し運動を許容するための上下二段の送り歯車機構と、上下二段の送り歯車機構側に向けて前記紙ナプキンの集合体を適宜圧力で押圧するために前記紙ナプキンホルダー本体の後壁内面に配設された押圧部材と、からなることを特徴とする紙ナプキンホルダー。
【請求項２】
折り畳まれた紙ナプキンを所要枚数収納し得る紙ナプキンホルダー本体と、該紙ナプキンホルダー本体の前壁面内側に配設され、前記折り畳まれた紙ナプキンが上方に取り出される際に直接接触している紙ナプキン１葉の上方取り出し運動を許容するための上下二段の送り歯車機構と、前記紙ナプキンの集合体側に向けて前記上下二段の送り歯車機構を適宜圧力で押圧するために該送り歯車機構に取付けられた押圧部材と、からなることを特徴とする紙ナプキンホルダー。
【請求項３】
前記上下二段の送り歯車機構は、それぞれ同方向に回転させるように遊動歯車を介して連繋され、利用者によって上方に取り出される第１の紙ナプキンの下端が下方歯車を通過した後、上方の歯車を通過するまでの間も回転が継続し、該下方歯車の回転によって次に取り出される第２の紙ナプキンの上端が上方に突出するように若干引き上げられることを特徴とする、請求項１または２のいずれかに記載の紙ナプキンホルダー。
【請求項４】
前記押圧部材を前記上下二段の送り歯車機構側に押圧するために、前記紙ナプキンホルダー本体の後壁内面と該押圧部材との間に板ばね又はコイルばねからなる弾性部材が介在せしめられることを特徴とする、請求項１または３のいずれかに記載の紙ナプキンホルダー。
【請求項５】
前記紙ナプキンホルダー本体の前壁側と該押圧部材との間に引っ張りばねが配設され、該引っ張りばねの張力により紙ナプキン集合体を前記上下二段の送り歯車機構側に押圧することを特徴とする、請求項１または３のいずれかに記載の紙ナプキンホルダー。
【請求項６】
前記押圧部材が板ばね又はコイルばねのいずれかであることを特徴とする、請求項１ないし５のいずれかにに記載の紙ナプキンホルダー。
【請求項７】
前記紙ナプキンホルダー本体の両側壁に平行に形成された２条の前下がり斜め溝と、該前下がり斜め溝に係合する複数の突起部を備えると共に質量を増大せしめた可動押圧部材と、を配設し、該押圧部材の自重により発生する前方下向き運動に伴う押圧力によって紙ナプキン集合体を前記上下二段の送り歯車機構側へ押圧するように構成したことを特徴とする、請求項１または３のいずれかに記載の紙ナプキンホルダー。
【請求項８】
次に取り出される紙ナプキンが、先に上方に取り出される紙ナプキンと一緒に前記上下二段の送り歯車機構に引き込まれることを防止するために、紙ナプキンホルダー底部両側面に前記紙ナプキン集合体の側面下端部を押圧する紙ナプキン押え部を備えることを特徴とする、請求項１ないし７のいずれかに記載の紙ナプキンホルダー。
【請求項９】
前記紙ナプキンの集合体を紙ナプキンホルダーに収納する際に、該紙ナプキン集合体の左右端を積層方向に直線状に揃えるために、紙ナプキンホルダー底部前面に紙ナプキン案内部材を備えることを特徴とする、請求項１ないし８のいずれかに記載の紙ナプキンホルダー。
【請求項１０】
前記紙ナプキンホルダー本体が、前記上下二段の送り歯車機構を収容保持する歯車機構ホルダー部１Ｇと、紙ナプキンの集合体を収納する紙ナプキンホルダー部１Ｎとに分割して構成され、該紙ナプキンホルダー部１Ｎが紙ナプキンホルダー本体に対して着脱可能であることを特徴とする、請求項１ないし９のいずれかに記載の紙ナプキンホルダー。
【発明の詳細な説明】
【技術分野】
【０００１】
本発明は、方形、三角形、扇形、等に折り畳まれた紙ナプキンを収納する紙ナプキンホルダーに関し、特に紙ナプキンを一枚ずつ取り出すことが容易となる紙ナプキンホルダーに関する。
【背景技術】
【０００２】
食堂、レストラン、喫茶店等名称の如何を問わず、各種飲食場所のテーブル、カウンター、座卓等には紙ナプキンが配置されていることが多い。このような紙ナプキンは、比較的吸湿性の良い薄紙を、四つ折り、六つ折り等として上述のような各種外形となるように多重に折り畳んだものが広く利用される。このようにそれぞれ所望形状に折り畳まれ、紙ナプキンの主要枚数を紙ナプキンホルダーに収納し、利用者が順次取り出しながら使用していく。
【０００３】
従来の紙ナプキンホルダーにあっては、利用者が紙ナプキンを１枚取り出そうとするのに、密接している両三枚またはそれ以上が取り出されてしまうことも多かった。特に、紙ナプキンがホルダーの最大収容枚数に近い状態に収納された状態では、必要以上の枚数が取り出されてしまう傾向が強かった。一旦、外部に取り出されてしまった紙ナプキンをホルダーに戻すことは利用者ならびに店舗関係者双方にとって煩雑である上、衛生上も好ましくないことから、そのまま廃棄されてしまうことも多く、省資源の観点からも好ましくない。
【０００４】
このような紙ナプキンの取り出しを容易にするための先行文献として、特許文献１は、略Ｕ字形断面となるように形成された紙ナプキンホルダー１の内側中央底部の両端に自由穴を設け、この自由穴にコ字状金具の両開放端を貫通させて先端に抜け止めナットを装着し、そしてこのコ字状金具の水平部にウェイトローラー２の中心穴を貫通させている。コ字状金具の両開放端は紙ナプキンホルダー底部の自由穴を貫通しているためウェイトローラー２は自由に上下動する。したがって、紙ナプキンはウェイトローラー２の自重によって常にホルダー１の底部に向けて押圧されており、紙ナプキンは散乱することもない。しかし、このような構成において、最上部に位置する紙ナプキンを取り出す際、ウェイトローラーと紙ナプキンとは転がり摩擦であるのに対して、直ぐ下に位置する紙ナプキン同士は滑り摩擦であるため、依然として同時に引き出されてしまう懸念が残っている。
【０００５】
特許文献２は、用紙収納棚１に多数枚積み重ねられている用紙の、二枚重ね取り出し防止機構を開示するものである。例えば、複写機、ファクシミリ装置、印刷機等における用紙は、仮に複数枚取り出されるとそれぞれが無駄となる可能性が高く、さらにかかる異常取り出しによる運転障害を復旧する間装置停止により作業効率が低下する。そのため、正確に用紙１枚のみを取り出して次工程に送る必要があり、極めて正確な紙分離・取り出し機構が必要となる。かかる用途における用紙は平滑度も高く、用途に応じて厚さや紙質の異なる用紙が使用される可能性もあることから、特許文献２にあっては、二段の紙分離機構を設け、確実な紙分離を行なうことを開示している。しかし、このような複雑な構成では駆動機構が必要となるため高価であり、さらに柔軟で紙質が全く異なる薄紙を多重に折り畳んだ紙ナプキンにそのまま利用することはできない。
【特許文献１】特開２００４−３４４６１９
【特許文献２】特開平６−１１５７４２
【発明の開示】
【発明が解決しようとする課題】
【０００６】
本発明の課題は、飲食場所等のテーブル上に配置される紙ナプキンホルダーにおいて、必要に応じて紙ナプキンを１枚ずつ確実に取り出すことが可能である紙ナプキンホルダーを提供することである。
【課題を解決するための手段】
【０００７】
請求項１に記載の発明は、折り畳まれた紙ナプキンを所要枚数収納し得る紙ナプキンホルダー本体１と、該紙ナプキンホルダー本体の前壁面内側に配設され、前記折り畳まれた紙ナプキンが上方に取り出される際に直接接触している紙ナプキン１葉の上方取り出し運動を許容するための上下二段の送り歯車機構３と、該上下二段の送り歯車機構側に向けて前記紙ナプキンの集合体を適宜圧力で押圧するために前記紙ナプキンホルダー本体の後壁内面に配設された押圧部材５と、からなる紙ナプキンホルダーであることを特徴とする。
【０００８】
請求項２に記載の発明は、折り畳まれた紙ナプキンを所要枚数収納し得る紙ナプキンホルダー本体１と、該紙ナプキンホルダー本体の前壁面内側に配設され、前記折り畳まれた紙ナプキンが上方に取り出される際に直接接触している紙ナプキン１葉の上方取り出し運動を許容するための上下二段の送り歯車機構３と、前記紙ナプキンの集合体側に向けて前記上下二段の送り歯車機構を適宜圧力で押圧するために該送り歯車機構に取付けられた押圧部材１５と、からなる紙ナプキンホルダーであることを特徴とする。
【０００９】
請求項３に記載の発明は、前記上下二段の送り歯車機構３は、それぞれ同方向に回転させるように遊動歯車３Ｇ３を介して連繋され、利用者によって上方に取り出される第１の紙ナプキンの下端が下方歯車３Ｌを通過した後、上方の歯車３Ｕを通過するまでの間も回転が継続し、該下方歯車の回転によって次に取り出される第２の紙ナプキンの上端が上方に突出するように若干引き上げられる、紙ナプキンホルダーであることを特徴とする。
【００１０】
請求項４に記載の発明は、前記押圧部材５を前記上下二段の送り歯車機構側に押圧するために、前記紙ナプキンホルダー本体１の後壁内面と該押圧部材との間に板ばね又はコイルばねからなる弾性部材６が介在せしめられる紙ナプキンホルダーであることを特徴とする。また、請求項５に記載の発明は、前記紙ナプキンホルダー本体１の前壁側と該押圧部材５との間に引っ張りばねが配設され、該引っ張りばねの張力により紙ナプキン集合体を前記上下二段の送り歯車機構側に押圧する紙ナプキンホルダーであることを特徴とする。
【００１１】
請求項６に記載の発明は、前記押圧部材５、１５が板ばね又はコイルばねのいずれかである紙ナプキンホルダーであることを特徴とする。請求項７に記載の発明は、前記紙ナプキンホルダー本体１の両側壁に、平行に形成された２条の前下がり斜め溝２４と、該前下がり斜め溝に係合する複数の突起部２５を備えると共に質量を増大せしめた可動押圧部材２０と、を配設し、該押圧部材２０の自重により発生する前方下向き運動に伴う押圧力によって紙ナプキン集合体を前記上下二段の送り歯車機構３側へ押圧するように構成された紙ナプキンホルダーであることを特徴とする。
【００１２】
請求項８に記載の発明は、次に取り出される紙ナプキンが、先に上方に取り出される紙ナプキンと一緒に前記上下二段の送り歯車機構３に引き込まれることを防止するために、紙ナプキンホルダー底部両側面に前記紙ナプキン集合体の側面下端部を押圧する紙ナプキン押え部３１を備える紙ナプキンホルダーであることを特徴とする。なお、紙ナプキン押え部３１の先端面には、紙ナプキン集合体の側面との摩擦を高め滑りを防止するために，刻みを入れる或いは粒状物を塗布すると都合がよい。また、請求項９に記載の発明は、前記紙ナプキンの集合体を紙ナプキンホルダーに収納する際に、該紙ナプキン集合体の左右端を積層方向に直線状に揃えるために、紙ナプキンホルダー底部前面に紙ナプキン案内部材３２を備える紙ナプキンホルダーであることを特徴とする。この場合、紙ナプキン案内部材に代えて、紙ナプキン集合体の底部前面の適宜部位をコイルばねにより押圧してもよい。
【００１３】
請求項１０に記載の発明は、前記紙ナプキンホルダー本体１が、前記上下二段の送り歯車機構３を収容保持する歯車機構ホルダー部１Ｇと、紙ナプキンの集合体を収納する紙ナプキンホルダー部１Ｎとに分割して構成され、該紙ナプキンホルダー部１Ｎが紙ナプキンホルダー本体に対して着脱可能である紙ナプキンホルダーであることを特徴とする。
【発明の効果】
【００１４】
本発明に係る紙ナプキンホルダーは、ホルダー本体の前壁面内側に上下二段の送り歯車機構と、収納されている紙ナプキンをホルダー本体後壁面内側から前記上下二段の送り歯車機構側に圧接するための押圧部材とを備えている。また、本発明に係る紙ナプキンホルダーは、ホルダー本体の前壁面内側に上下二段の送り歯車機構と、収納されている紙ナプキンを前記上下二段の送り歯車機構により圧接するための押圧部材とを備えている。前記上下二段の送り歯車機構は、接触する紙ナプキンが利用者によって上方に引き抜かれる際に回転して当該第１の紙ナプキンのみの送り出し動作を助長するように機能する。そのため、紙ナプキン単葉のみが効率よく取り出され、過剰枚数の取り出し後における紙ナプキンの無駄や再収納するための時間的無駄が排除され、飲食業現場における衛生確保の点からも好ましい効果が得られる。
【００１５】
また、本発明に係る紙ナプキンホルダーは、必要に応じて紙ナプキンを１枚ずつ取り出すことを確実に実行するために、紙ナプキンホルダー底部両側面に前記紙ナプキン集合体の側面下端部を押圧する紙ナプキン押え部、並びに紙ナプキンホルダー底部前面に紙ナプキン案内部材を備えている。これにより、紙ナプキンホルダーに収納される全ての紙ナプキンに対して、次に取り出される紙ナプキンが、先に上方に取り出される紙ナプキンと一緒に前記上下二段の送り歯車機構３に引き込まれることを阻止できる。
【００１６】
本発明に係る紙ナプキンホルダーでは、前記上下二段の送り歯車機構の各歯車が、それぞれ同方向に回転するように遊動歯車を介して歯車連繋されているため、利用者によって上方に取り出される第１の紙ナプキンの下端が下方歯車を通過した後、上方の歯車を通過するまでの間も回転が継続し、該下方歯車の回転によって次に取り出される第２の紙ナプキンの上端が、例えば利用者が指先で摘み易い寸法、例えば１ｃｍ程度突出するように、若干引き上げられる。
【００１７】
この場合の引き上げ量をどの程度にするかは、上下二段の歯車軸の離隔距離に依存する。したがって、引き続く紙ナプキン取り出しにあたってはこのように若干引き上げられている紙ナプキンの上端を摘んで取り出せば、最終段階ではその下側に収納されている第２の紙ナプキンの上端が若干突出することになる。なお、かかる構成にあっては、当初紙ナプキン集合体を収納する際に、上下二段の送り歯車機構に接している第１の紙ナプキン１葉の上端を若干引き出した状態でセットし、当初から取り出し容易とするよう配慮することが運用上望ましい。
【００１８】
さらに、本発明に係る紙ナプキンホルダーは、前記紙ナプキンホルダー本体が、前記上下二段の送り歯車機構を収容保持する歯車機構ホルダー部と紙ナプキンの集合体を収納する紙ナプキンホルダー部１Ｎとに分割され、該紙ナプキンホルダー部が紙ナプキンホルダー本体に対して着脱可能であるように構成される。これにより、紙ナプキン販売者側は紙ナプキンホルダー部を紙ナプキンを収納するカートリッジとして使用でき、飲食場所等で使用する場合に紙ナプキンホルダー本体に組み立てることができる。
【発明を実施するための最良の形態】
【００１９】
以下、添付図を参照しつつ本発明に係る紙ナプキンホルダーを開示する。図１は、本発明に係る紙ナプキンホルダーの右半部前面外板を切り欠いた正面図（Ａ）、および側面内部を模式的に示す側面図（Ｂ）である。ここで、紙ナプキンホルダー本体１は正面および側面共に上下同寸法の直方体として基台２上に取り付けられたものを開示しているが、本体下方の基台２に取り付ける側の寸法を狭くすること、上端切り口を彎曲させること、などデザイン上および使い勝手の向上を図るなどの理由による形状の変形は任意である。また、材質もステンレス、銅、メッキを施した鉄板、アルミその他金属の合金、硬質プラスチック、木質材等いずれであってもよい。
【００２０】
図１（Ａ）、（Ｂ）から明らかなように、紙ナプキンホルダー本体１の前面板内側には、回転軸の左右両側に先鋭な歯先を有する一対の歯車を設け、さらに上下一対の回転軸同士が遊動歯車により同方向に回転するように歯車連繋させた上下二段の送り歯車機構３Ｕ、Ｌが配設される。この上下二段の送り歯車機構３については、図２と対応せしめて後述する。なお、このような上下二段の送り歯車機構３を除いた部分には紙ナプキンを滑動し易くするための案内板４が設けられている。
【００２１】
この上下二段の送り歯車機構３の各歯車３Ｕおよび３Ｌは、図（Ｂ）の側面図から明らかなように尖鋭な歯部を有しており、この歯部先端が直近にある、すなわちハッチングを施した第１の紙ナプキンに若干食い込むように構成されている。そのため、紙ナプキンが矢印のように上方に取り出される際に連動して回転せしめられる。この際、引き出し過程にある紙ナプキンの前面は歯車の回転に伴ってナプキンホルダー本体内部の案内板４から僅かに離隔された状態で取り出される結果、第１の紙ナプキンと案内板４との接触圧力が減ずることになり、一葉の紙ナプキンのみが取り出し出し易くなる。なお、案内板４はホルダー本体１の前壁面裏との間に形成される空間に上下二段の送り歯車機構３を内包するためのカバーとしても機能している。
【００２２】
ホルダー本体１の背面側内部に配設された押圧板５は弾性体６によって前方に押圧されて、支点７を中心として両頭矢印８のように紙ナプキン集合体ＰＮを前方へ押圧する。その結果、二点鎖線で示された紙ナプキン集合体ＰＮを、前方に位置する上下二段の送り歯車機構３側に向けて押圧し続ける。なお、押圧部材としての押圧板５は、弾性体６を必ずしも介在させる必要はなく、弾性体６を介在させない場合は、それ自体板ばね等で構成されており、紙ナプキン集合体ＰＮを歯車機構３側に向けて押圧し続けるものである。この場合、支点７は必要なく押圧板５の一方の端部はホルダー本体１の後壁面又は底面に固着される。
【００２３】
したがって、収納されている紙ナプキンがなくなるまで、上下二段の送り歯車機構３に接触しているから、上述のような紙ナプキン取り出し動作がスムーズに行われる。この場合の弾性体６としては、折り曲げられた板ばね、コイルばね等により常用の手法によりホルダー本体１の後壁から前方へ押し出すように作用せしめればよい。さらに、コイルばねをホルダー本体１の前壁側に配設し、引っ張りばねとすることも可能である。
【００２４】
図２は、本発明に係る紙ナプキンホルダーの他の実施例を示す正面図（Ａ）および側面内部を模式的に示す側面図（Ｂ）である。この実施例における紙ナプキンホルダー本体１と上下二段の送り歯車機構３は図１に示す構成例と同様であるが、この構成例における歯車機構３には、一方の端部がホルダー本体１の底面又は前壁面に固着され、矢印１８のように反撥する押圧部材１５が取付けられている。したがって、図１に示す構成例では紙ナプキン集合体ＰＮを歯車機構３側に向けて押圧するのに対して、この構成例では歯車機構３を前記紙ナプキン集合体ＰＮ側に向けて押圧することになる。なお、紙ナプキンホルダー本体１の形状、材質等、上下二段の送り歯車機構３の概略については前述したのでここでは省略する。なお、押圧部材１５としては板ばねの他に前壁面に固着されるコイルばね等を使用することができる。
【００２５】
本発明においては、図２に示されるように、紙ナプキンホルダー底部両側面に前記紙ナプキン集合体ＰＮの側面下端部を押圧する紙ナプキン押え部３１を備えている。これにより、次に取り出される紙ナプキンが、先に上方に取り出される紙ナプキンと一緒に前記上下二段の送り歯車機構３に引き込まれることを防止することができる。なお、紙ナプキン集合体の側面との摩擦を高め滑りを防止して２枚以上の紙ナプキンが歯車機構３に引き込まれることを阻止するために，紙ナプキン押え部３１の先端面に刻みを入れる或いは粒状物を塗布すると都合がよい。ここではサンドペーパーを貼り付けている。
【００２６】
また、本発明においては、図２に示されるように、紙ナプキンホルダー底部前面に紙ナプキン案内部材３２を備えている。紙ナプキン案内部材３２は、矢印方向に反撥する板ばねにより構成され、前記紙ナプキン集合体ＰＮを紙ナプキンホルダーに収納する際に紙ナプキン集合体ＰＮが整列されて正確に収納されるように作用するもので、該紙ナプキン集合体ＰＮの左右端（側面）を積層方向に直線状に揃えることにより、収納される全ての紙ナプキン側面が前記紙ナプキン押え部３１に当接し、該押え部３１が紙ナプキンホルダーに収納されるいずれの紙ナプキンに対しても作用する。したがって、紙ナプキン案内部材３２と紙ナプキン押え部３１との相乗効果によって紙ナプキンホルダーに収納される全ての紙ナプキンに対して、次に取り出される紙ナプキンが、先に上方に取り出される紙ナプキンと一緒に前記上下二段の送り歯車機構３に引き込まれることを確実に阻止することができる。なお、板ばね紙ナプキン案内部材３２に代えて、紙ナプキン集合体ＰＮの底部前面の適宜部位をコイルばねにより押圧してもよい。
【００２７】
本発明においては、図１、２、４に示されるように、紙ナプキンホルダー本体１を、上下二段の送り歯車機構３を収容保持する歯車機構ホルダー部１Ｇと、紙ナプキンの集合体を収納する紙ナプキンホルダー部１Ｎとに分割して構成することができ、紙ナプキンホルダー部１Ｎが紙ナプキンホルダー本体に対して着脱可能に構成することができる。このように構成することにより、紙ナプキン販売者側は紙ナプキンホルダー部ＩＮを紙ナプキンを収納するカートリッジとして使用でき、飲食場所等における使用者の紙ナプキンの収納作業を省略して紙ナプキンホルダー本体に紙ナプキンホルダー部ＩＮを組み立てる作業で済む。
【００２８】
図３は、上述したような上下二段の送り歯車機構３の構成例を示すものであり、紙ナプキン集合体ＰＮに接触するための尖鋭な歯部を備えた上方歯車３Ｕ及び下方歯車３Ｌを含み、対象物である紙ナプキンとの接触面を図示したものである。紙ナプキンに接触する上下二段の歯車３Ｕ、３Ｕ’、３Ｌ、３Ｌ’は、それぞれ軸３Ｓに固着されている。上下の軸３Ｓには同径の連結歯車３Ｇ１および３Ｇ２が固着されており、それぞれの歯車と係合する遊動歯車３Ｇ３を介して歯車連繋されている。したがって、紙ナプキンと接触する上下二段の歯車３Ｕ、３Ｕ’、３Ｌ、３Ｌ’は同一方向に、等速で回転することになる。その結果、利用者が紙ナプキンを上方に取り出すに当たって、当初は、紙ナプキンは上下二段の歯車３Ｕ、３Ｕ’、３Ｌ、３Ｌ’の双方に接触している。
【００２９】
このような紙ナプキンの取り出し動作が進行して第１の紙ナプキンの下端が、下方歯車３Ｌ、３Ｌ’から外れると、それぞれの尖鋭な歯先は直ぐ奥側に位置する第２の紙ナプキンに接触することになり、第１の紙ナプキン取り出し動作に従って、第２の紙ナプキンが若干引き上げることになる。
【００３０】
このような第２の紙ナプキンに対する下側歯車３Ｌ、３Ｌ’による引き上げ動作はしばらく継続し、第１の紙ナプキンの下端が上側歯車３Ｕ、３Ｕ’から離脱した時点で終了する。このような一連の動作により、第２の紙ナプキンの上端が次の取り出し動作の便宜のため、紙ナプキンホルダーから若干上昇した状態となる。この場合、第２の紙ナプキンの上昇寸法は、上下二段の送り歯車機構３における上下歯車３Ｕ、３Ｕ’、３Ｌ、３Ｌ’間の間隔、したがって両回転軸３Ｓ同士の離隔距離によって決定される。
【００３１】
図４は、二点鎖線で略示した紙ナプキン集合体ＰＮを上下二段の送り歯車機構３側に押圧する構造として押圧板２０の自重または押圧板２０に付加された重錘２２の合成重量を利用する実施例を示したものである。この実施例では、ホルダー本体１の両側壁またはそれぞれの内部に形成された部材に対して、背面側から表側にかけて２条の前下がり斜め溝２４Ｕ、２４Ｌを平行となるように形成しておく。押圧板２０の両側端面には、前下がり斜め溝１４Ｕ、１４Ｌにそれぞれ嵌合する突起２５Ｕ、２５Ｌを設ける。
【００３２】
なお、これらの突起２５Ｕ、２５Ｌは、紙ナプキン集合体ＰＮを前方へ押圧するものであるから、押圧板２０の自重または押圧板２０に付加された重錘２２の合成重量によって矢印２６のように、前側下方に向けて容易に滑動しなければならない。そのため、必要であればこれら突起２５Ｕ、２５Ｌにはそれぞれ回転可能なスリーブまたは小ローラーによって覆っておくと都合が良い。かかる構成によれば経年劣化の懸念のある弾性体は不要であり、長期間にわたり同等の機能を継続的に発揮することが期待できる。
【産業上の利用可能性】
【００３３】
本発明に係る紙ナプキンホルダーは、主として食堂、レストラン、その他同類の飲食業店舗のテーブル、カウンター、座卓等に載置されて、不特定多数の利用者が取り扱うものである。手指の機能が完全ではない場合や小児の利用等も考慮し、紙ナプキンを無駄なく取り出せるように配慮したものである。健常者であっても条件如何では多数の紙ナプキンを同時に引き出してしまい、その後の取り扱いに煩雑さが伴い、さらにはそのまま再収納することは衛生上の見地から好ましくない状況に至ることも考えられ、実用的価値は大きい。
【００３４】
本発明に係る紙ナプキンホルダーは、直ぐに取り出される第１の紙ナプキンの上端を摘み易いように若干上昇させた状態としておき、引き続く取り出し過程において順次１葉ずつ上昇させておくことができる。この場合、一旦上昇せしめられた第１の紙ナプキンは上下二段の送り歯車機構と、歯車機構と背面の押圧板とによって適宜圧力で押圧されており、紙ナプキンホルダーの通常の移動やテーブル等の拭き掃除等にともなう振動などによって下降してしまうことはない。
【００３５】
そのため、常時取り出し候補第１である第１の紙ナプキンは摘み易い状態を維持しており、さらに多数枚が同時に取り出される不都合を防止する効果が得られる。したがって、紙ナプキンの無駄を排除し、かつ一旦取り出されてしまった紙ナプキンが不特定多数の利用者によってホルダー内に再収納されるような不都合を回避することができるため、飲食業における衛生向上の観点からも多大の貢献が期待できる。
【図面の簡単な説明】
【００３６】
【図１】本発明に係る紙ナプキンホルダーの構造を示す正面図（Ａ）並びに側面内部を模式的に示す側面図（Ｂ）である。
【図２】本発明に係る紙ナプキンホルダーの他の実施例を示す正面図（Ａ）並びに側面内部を模式的に示す側面図（Ｂ）である。
【図３】本発明に係る紙ナプキンホルダーの上下二段の送り歯車機構の構成例を示す裏面図である。
【図４】本発明に係る紙ナプキンホルダーの背面側内部に配設される押圧板の他の構成例並びに動作源を説明する側断面図である。
【符号の説明】
【００３７】
１    紙ナプキンホルダー本体
１Ｇ  歯車機構ホルダー部
１Ｎ  紙ナプキンホルダー部
２    基台
３    上下二段の送り歯車機構
３Ｕ、３Ｕ’  上方歯車
３Ｌ、３Ｌ’  下方歯車
３Ｇ１、３Ｇ２  尖鋭歯付き歯車
３Ｇ３  遊動歯車
３Ｓ    軸
４      案内板
５、１５  押圧部材（押圧板）
６      弾性部材（弾性体）
７      支点
８      押圧運動方向
２０    可動押圧部材（押圧板）
２２    重錘
２４Ｕ、２４Ｌ  前下がり斜め溝
２５Ｕ、２５Ｌ  突起
３１    紙ナプキン押え部
３２    紙ナプキン案内部材
ＰＮ    紙ナプキン集合体
【図１】
2008290775.tif 000003
【図２】
2008290775.tif 000004
【図３】
2008290775.tif 000005
【図４】
2008290775.tif 000006